(57)【要約】【課題】施設内にいなくても施設内の状態を知ることができるインターホン玄関装置、インターホンシステム、情報端末、報知方法及びプログラムを提供する。【解決手段】インターホン玄関装置１０は、施設に設けられ、かつＩＰネットワークを介して情報端末と通信可能である。インターホン玄関装置１０は、報知部１８を備える。報知部１８は、情報端末を含む１つ以上の端末のいずれかから取得した情報又は自機に対して入力された情報であって、情報端末を呼び出す情報とは異なる情報に基づいて、施設内の状態に関する報知を行う。【選択図】図１
2020102775.tif 000002
【特許請求の範囲】
【請求項１】
施設に設けられ、かつＩＰネットワークを介して情報端末と通信可能であるインターホン玄関装置であって、
前記情報端末を含む１つ以上の端末のいずれかから取得した情報又は自機に対して入力された情報であって、前記情報端末を呼び出す情報とは異なる情報に基づいて、前記施設内の状態に関する報知を行う報知部を備える、
インターホン玄関装置。
【請求項２】
前記ＩＰネットワークの中継器としての集線装置を介して前記情報端末と接続される、
請求項１に記載のインターホン玄関装置。
【請求項３】
自機及び前記１つ以上の端末の各々に対して、互いに異なる識別子が割り当てられており、
前記集線装置は、前記識別子を基に前記ＩＰネットワークでの通信が可能となるように構成されており、
前記１つ以上の端末のいずれかから取得した前記情報には、前記インターホン玄関装置の識別子が含まれている、
請求項２に記載のインターホン玄関装置。
【請求項４】
前記情報端末から取得した情報が前記施設に対する監視における監視結果を表す警報情報である場合には、前記報知部は、前記警報情報に基づいて、前記報知を行う、
請求項１〜３のいずれか一項に記載のインターホン玄関装置。
【請求項５】
前記情報端末から取得した情報が前記施設に対するセキュリティ機能の設定に関するセキュリティ情報である場合には、前記報知部は、前記セキュリティ情報に基づいて、前記報知を行う、
請求項１〜４のいずれか一項に記載のインターホン玄関装置。
【請求項６】
前記情報端末と通信する第１通信部と、
前記第１通信部とは異なる第２通信部とを、更に備え、
前記報知部は、前記第２通信部が前記１つ以上の端末に含まれ前記情報端末とは異なる携帯型端末から取得した情報に基づいて、報知を行う、
請求項１〜５のいずれか一項に記載のインターホン玄関装置。
【請求項７】
操作部を、更に備え、
前記操作部に対する所定の操作により入力された情報に基づいて、前記報知を行う、
請求項１〜６のいずれか一項に記載のインターホン玄関装置。
【請求項８】
請求項１〜７のいずれか一項に記載のインターホン玄関装置と、
前記情報端末と、を備える、
インターホンシステム。
【請求項９】
施設に設けられ、かつＩＰネットワークを介して請求項１〜７のいずれか一項に記載のインターホン玄関装置と通信可能である情報端末であって、
前記インターホン玄関装置と通信する通信部を備え、
前記通信部は、前記インターホン玄関装置の前記報知部が前記報知を行うための情報を、前記インターホン玄関装置に送信するように構成されている、
情報端末。
【請求項１０】
施設に設けられ、かつＩＰネットワークを介して情報端末と通信可能であるインターホン玄関装置で用いられる報知方法であって、
前記情報端末を含む１つ以上の端末のいずれかから取得した情報又は前記インターホン玄関装置に対して入力された情報であって、前記情報端末を呼び出す情報とは異なる情報に基づいて、前記施設内の状態に関する報知を行う報知ステップを含む、
報知方法。
【請求項１１】
請求項１０に記載の報知方法をコンピュータに、実行させるためのプログラム。
【発明の詳細な説明】
【技術分野】
【０００１】
本開示は、一般にインターホン玄関装置、インターホンシステム、情報端末、報知方法及びプログラムに関し、より詳細には施設に関連する情報に基づく報知を行うインターホン玄関装置、インターホンシステム、情報端末、報知方法及びプログラムに関する。
【背景技術】
【０００２】
従来、インターホン子機とインターホン親機との間で通話可能なインターホンシステムが知られている（特許文献１参照）。
【０００３】
特許文献１のインターホンシステムは、例えば集合住宅（集合施設）の共用玄関に設置されるロビーインターホンと、住戸内に設置されてロビーインターホンとの間で通話を行うインターホン親機とを備えている。
【０００４】
特許文献１のインターホンシステムでは、来訪者がロビーインターホンにてインターホン親機を呼び出す操作を行うと、インターホン親機から呼出音が鳴動される。対応者（居住者）がインターホン親機に対する操作により、インターホン親機とロビーインターホンとの間で通話が可能となる。
【先行技術文献】
【特許文献】
【０００５】
【特許文献１】特開２０１２−１５９７４号公報
【発明の概要】
【発明が解決しようとする課題】
【０００６】
ところで、近年、施設に設けられたインターホンシステムを利用して、施設内にいなくても施設内の状態を知りたいという要望がある。
【０００７】
本開示は上記課題に鑑みてなされ、施設内にいなくても施設内の状態を知ることができるインターホン玄関装置、インターホンシステム、情報端末、報知方法及びプログラムを提供することを目的とする。
【課題を解決するための手段】
【０００８】
本開示の一態様に係るインターホン玄関装置は、施設に設けられ、かつＩＰネットワークを介して情報端末と通信可能である。前記インターホン玄関装置は、報知部を備える。前記報知部は、前記情報端末を含む１つ以上の端末のいずれかから取得した情報又は自機に対して入力された情報であって、前記情報端末を呼び出す情報とは異なる情報に基づいて、前記施設内の状態に関する報知を行う。
【０００９】
本開示の一態様に係るインターホンシステムは、前記インターホン玄関装置と、前記情報端末と、を備える。
【００１０】
本開示の一態様に係る情報端末は、施設に設けられ、かつＩＰネットワークを介して前記インターホン玄関装置と通信可能である。前記情報端末は、前記インターホン玄関装置と通信する通信部を備える。前記通信部は、前記インターホン玄関装置の前記報知部が前記報知を行うための情報を、前記インターホン玄関装置に送信するように構成されている。
【００１１】
本開示の一態様に係る報知方法は、施設に設けられ、かつＩＰネットワークを介して情報端末と通信可能であるインターホン玄関装置で用いられる。前記報知方法は、報知ステップを含む。前記報知ステップは、前記情報端末を含む１つ以上の端末のいずれかから取得した情報又は前記インターホン玄関装置に対して入力された情報であって、前記情報端末を呼び出す情報とは異なる情報に基づいて、前記施設内の状態に関する報知を行う。
【００１２】
本開示の一態様に係るプログラムは、前記報知方法をコンピュータに、実行させるためのプログラムである。
【発明の効果】
【００１３】
本開示によると、施設内にいなくても施設内の状態を知ることができる。
【図面の簡単な説明】
【００１４】
【図１】図１は、本開示の一実施形態に係るインターホン玄関装置の構成を説明するブロック図である。
【図２】図２は、同上のインターホン玄関装置を備えるインターホンシステムの構成を説明するシステム構成図である。
【図３】図３Ａは、同上のインターホン玄関装置の外観のうち前面の構成を説明する外観図である。図３Ｂは、同上のインターホン玄関装置の外観のうち裏面の構成を説明する外観図である。
【図４】図４は、同上のインターホンシステムが備えるインターホン親機の構成を説明するブロック図である。
【図５】図５は、同上のインターホン親機の外観を説明する外観図である。
【図６】図６は、同上のインターホンシステムにおいて、セキュリティを設定する場合の動作を説明する図である。
【図７】図７は、同上のインターホンシステムにおいて、監視状態時での動作を説明する図である。
【発明を実施するための形態】
【００１５】
以下に説明する実施形態及び変形例は、本開示の一例に過ぎず、本開示は、実施形態及び変形例に限定されない。以下の実施形態及び変形例以外であっても、本開示に係る技術的思想を逸脱しない範囲であれば、設計等に応じて種々の変更が可能である。
【００１６】
（実施形態）
以下、本実施形態に係る開示について、図１〜図７を用いて説明する。
【００１７】
（１）概要
本実施形態におけるインターホンシステム１は、図２に示すように、複数（図示例では２つ）のインターホン玄関装置（以下、玄関子機という）１０、複数（図示例では２つ）のインターホン親機（以下、親機という）２０及びロビーインターホン３０を備える。インターホンシステム１は、図２に示すように、さらに、複数（図示例では２つ）の中継器４０、第１集線装置５０、複数（図示例では２つ）の第２集線装置５１、第３集線装置５２、管理室装置６０及び制御装置７０を備える。本実施形態では、インターホンシステム１が集合住宅５に用いられる場合を例として説明する。
【００１８】
ロビーインターホン３０は、例えば、集合住宅５のロビーなどの共用部Ｅ１に設置される。集合住宅５は、共用部Ｅ１の他、複数の住戸Ｅ２（施設）を有している。親機２０、中継器４０及び第２集線装置５１は、住戸Ｅ２ごとに当該住戸Ｅ２内に設置される。玄関子機１０は、例えば、住戸Ｅ２ごとに当該住戸Ｅ２の外玄関に設置される。
【００１９】
第１集線装置５０、複数の第２集線装置５１、及び第３集線装置５２は、例えばスイッチングハブである。ロビーインターホン３０は、第１集線装置５０と接続されている。具体的には、ロビーインターホン３０は図示しないスイッチングハブ（ロビー用スイッチングハブ）と有線接続され、ロビー用スイッチングハブが第１集線装置５０と有線接続されている。第２集線装置５１は、第１集線装置５０、当該第２集線装置５１が設置された住戸Ｅ２の玄関子機１０及び親機２０のそれぞれと有線接続されている。第３集線装置５２は、第１集線装置５０、管理室装置６０及び制御装置７０のそれぞれと有線接続されている。本実施形態では、複数の玄関子機１０、複数の親機２０、ロビーインターホン３０、管理室装置６０、及び制御装置７０で通信を行うネットワークとして、ＩＰアドレスを用いたＩＰネットワークが形成されている。第１集線装置５０、複数の第２集線装置５１、及び第３集線装置５２は、ＩＰネットワークにおける中継器として機能する。ＩＰネットワークでは、送信される情報は、送信元の識別子（ここでは、ＩＰアドレス）と、送信先の識別子（ここでは、ＩＰアドレス）とを含む。
【００２０】
ロビーインターホン３０と親機２０とは、制御装置７０を介して互いに通信可能に構成されている。これにより、本実施形態に係るインターホンシステム１では、ロビーインターホン３０と親機２０との間で通話可能となる。親機２０と玄関子機１０とは、制御装置７０を介して互いに通信可能に構成されている。さらに、親機２０及びロビーインターホン３０と管理室装置６０とは、制御装置７０を介して互いに通信可能に構成されている。なお、本実施形態では、親機２０、ロビーインターホン３０及び管理室装置６０は、本開示の情報端末に相当する。
【００２１】
玄関子機１０は、非接触型の無線通信により、ＩＣカードＣ１と通信可能に構成されている（図２参照）。ＩＣカードＣ１は、玄関子機１０と非接触型の無線通信を行うための通信回路を備える。そのため、ＩＣカードＣ１は、通信端末、特に携帯型の通信端末とみなすことができる。ＩＣカードＣ１は、玄関子機との通信において、ＩＣカードＣ１が記憶する識別子を送信する。
【００２２】
ロビーインターホン３０は、撮像装置を備える。ロビーインターホン３０は、来訪者が呼出操作を行うと、撮像装置による来訪者の撮像を開始する。ロビーインターホン３０は、撮像した画像のデータを、制御装置７０を介して親機２０に送信する。さらに、ロビーインターホン３０は、住戸Ｅ２内の居住者を呼び出すための制御信号（呼出信号）を親機２０に制御装置７０を介して送信する。ロビーインターホン３０は、親機２０に対する操作により親機２０との間で通話が可能になると、来訪者の音声を含む音のデータを制御装置７０を介して親機２０に送信する。ロビーインターホン３０は、親機２０の操作者の音のデータを制御装置７０を介して受け取ると、受け取ったデータに基づく音（操作者の音声を含む）を出力する。
【００２３】
親機２０は、ロビーインターホン３０から画像のデータを受信すると、受信した画像のデータを基に、ロビーインターホン３０が撮像した画像を表示する。
【００２４】
親機２０が制御信号（呼出信号）をロビーインターホン３０から受信している状態（つまり、来訪者からロビーインターホン３０を介して呼出がある状態）で住戸Ｅ２内の住居者は、ロビーインターホン３０との通話又はロビーの扉の解錠の操作を行う。
【００２５】
玄関子機１０は、被写体を撮像する撮像部１６（図１、図３Ａ参照）を備える。玄関子機１０は、来訪者が呼出操作を行うと、撮像部１６による来訪者の撮像を開始する。玄関子機１０は、撮像した画像のデータを親機２０に、制御装置７０を介して送信する。さらに、玄関子機１０は、住戸Ｅ２内の居住者を呼び出すための制御信号（呼出信号）を、親機２０に制御装置７０を介して送信する。玄関子機１０は、親機２０に対する操作により親機２０との間で通話が可能になると、音のデータを親機２０に制御装置７０を介して送信する。玄関子機１０は、親機２０の操作者の音声を含む音のデータを制御装置７０を介して受け取ると、受け取ったデータに基づく音（操作者の音声を含む）を出力する。
【００２６】
制御装置７０は、インターホンシステム１における通信の制御を行う。具体的には、玄関子機１０、親機２０、ロビーインターホン３０及び管理室装置６０の各々から送信された情報を、送信先の装置へと振り分ける機能（振分機能）を有している。例えば、制御装置７０は、ロビーインターホン３０が送信した信号、データ等の情報を第１集線装置５０及び第３集線装置５２を介して受け取る。制御装置７０は、ロビーインターホン３０から受け取った当該情報を送信先である装置（例えば、親機２０）に、第３集線装置５２、第１集線装置５０及び第２集線装置５１を介して送信する。制御装置７０は、玄関子機１０が送信した信号、データ等の情報を第２集線装置５１、第１集線装置５０及び第３集線装置５２を介して受け取ると、当該情報を送信先である親機２０に、第３集線装置５２、第１集線装置５０及び第２集線装置５１を介して送信する。さらに、制御装置７０は、親機２０が送信した信号、データ等の情報を第２集線装置５１、第１集線装置５０及び第３集線装置５２を介して受け取る。制御装置７０は、親機２０から受け取った当該情報を送信先である装置（例えば玄関子機１０）に、第３集線装置５２、第１集線装置５０及び第２集線装置５１を介して送信する。
【００２７】
さらに、制御装置７０は、親機２０の操作に応じて、例えば共用部Ｅ１の扉の解錠を行う。
【００２８】
また、本実施形態では、住戸Ｅ２の各々は、電気錠８０及び複数のセンサ９０を備える。電気錠８０及び複数のセンサ９０は、親機２０と有線接続されており、親機２０と通信可能に構成されている。なお、センサ９０は、出力端子間の接点のオン又はオフを制御する。センサ９０の接点のオン又はオフの切替に応じた接点信号が親機２０に入力されてもよい。
【００２９】
電気錠８０は、電気錠８０の開閉が行われると、その結果を親機２０に送信する。例えば、電気錠８０の状態が開状態から閉状態となった場合には、結果として閉状態であること示す閉状態信号を送信する。また、電気錠８０の状態が閉状態から開状態となった場合には、結果として開状態であること示す開状態信号を送信する。
【００３０】
センサ９０は、人の進入の有無を検知する人検知センサ、ガス漏れを検知するガスセンサ、ドア、窓等の開閉を検知するドアセンサ、水漏れを検知する水漏れセンサ、火災を検知する火災検知器、住戸Ｅ２内の異常を知らせる警報器、盗難防止のアラーム及び室外の異常を知らせる警報器等のいずれかである。本実施形態では、複数のセンサ９０は、人検知センサ９１、ガスセンサ９２、ドアセンサ９３、水漏れセンサ９４及び火災検知器９５に、それぞれ対応する。
【００３１】
各センサ９０は、監視象が検知されない場合には未検知信号を親機２０に送信する。各センサ９０は、監視対象が検知された場合には検知信号を親機２０に送信する。
【００３２】
さらに、玄関子機１０は、中継器４０を介して、親機２０及び電気錠８０と通信可能に構成されている。中継器４０は、玄関子機１０、親機２０及び電気錠８０のそれぞれと有線接続されている。本実施形態では、中継器４０は、玄関子機１０から送信された信号、データ等の情報を、親機２０及び電気錠８０の少なくとも一方に送信する。
【００３３】
（２）構成
（２−１）インターホン玄関装置（玄関子機）
ここでは、インターホン玄関装置（玄関子機）１０の構成について説明する。
【００３４】
玄関子機１０は、図１に示すように、子機第１通信部１１（第１通信部）、子機第２通信部１２（第２通信部）、送信部１３、記憶部１４、操作部１５、撮像部１６、マイクロホン１７、報知部１８及び制御部１９を備える。
【００３５】
玄関子機１０は、例えばプロセッサ及びメモリを有するコンピュータシステムを有している。そして、プロセッサがメモリに格納されているプログラムを実行することにより、コンピュータシステムが制御部１９として機能する。プロセッサが実行するプログラムは、ここではコンピュータシステムのメモリに予め記録されているが、メモリカード等の非一時的記録媒体に記録されて提供されてもよいし、インターネット等の電気通信回線を通じて提供されてもよい。
【００３６】
子機第１通信部１１は、制御装置７０を介して、親機２０及びロビーインターホン３０と通信するための通信インタフェースである。子機第１通信部１１は、第２集線装置５１と有線接続するためのケーブルが挿入されるポート１１ａを有している（図３Ｂ参照）。ケーブルの一端がポート１１ａに、他端が第２集線装置５１に、それぞれ接続されることで、玄関子機１０は第２集線装置５１を介した通信が可能になる。
【００３７】
子機第２通信部１２は、通信端末としてのＩＣカードＣ１と近距離無線を行うための通信インタフェースである。
【００３８】
送信部１３は、中継器４０を介して、親機２０及び電気錠８０と通信を行うための通信インタフェースである。送信部１３は、中継器４０と有線接続するためケーブルが挿入されるポート１３ａを有している（図３Ｂ参照）。ケーブルの一端がポート１３ａに、他端が中継器４０に、それぞれ接続されることで、玄関子機１０は中継器４０を介した通信が可能になる。
【００３９】
記憶部１４は、ＲＯＭ（Read Only Memory）、ＲＡＭ（Random Access Memory）、又はＥＥＰＲＯＭ（Electrically Erasable Programmable Read Only Memory）等から選択されるデバイスで構成される。
【００４０】
記憶部１４は、自機に割り当てられた識別子（ここでは、ＩＰアドレス）を記憶している。さらに、通信相手としての装置の識別子、例えば、親機２０、ロビーインターホン３０、管理室装置６０、及び制御装置７０のそれぞれの識別子（ここでは、ＩＰアドレス）を記憶している。記憶部１４は、自機と通信が許可されたＩＣカードＣ１の識別子を記憶している。
【００４１】
記憶部１４は、後述するＬＥＤ（Light Emitting Diode）の点灯に係る設定内容を記憶している。さらに、記憶部１４は、後述するスピーカ１１１が出力する各種音に係るデータを記憶している。
【００４２】
操作部１５は、呼出操作を行うためのボタンである（図３Ａ参照）。訪問者は、操作部１５に対して押操作を行う。玄関子機１０は、押操作が行われると、撮像部１６による撮像を開始し、さらに制御信号（呼出信号）を親機２０に制御装置７０を介して送信する。
【００４３】
撮像部１６は、ＣＣＤ（Charge Coupled Devices）イメージセンサ、又はＣＭＯＳ（Complementary Metal-Oxide Semiconductor）イメージセンサ等の二次元イメージセンサ等の撮像素子を有し、被写体（来訪者等）を撮影するためのカメラである。本実施形態では、撮像部１６は動画を撮影するカメラであるが、静止画を撮影するカメラであってもよい。さらに、本実施形態では、撮像部１６はカラー画像を撮影するカメラであるが、モノクローム画像を撮影するカメラであってもよい。
【００４４】
マイクロホン１７（図３Ａ参照）は、操作部１５を操作した人（例えば、来訪者）の音声を取得し、取得した音声のデータを親機２０に制御装置を介して送信する。
【００４５】
報知部１８は、親機２０を含む１つ以上の端末のいずれかから取得した情報であって、親機２０を呼び出す情報とは異なる情報に基づいて、住戸Ｅ２内の状況に関する報知を行う機能を有している。具体的には、報知部１８は、親機２０から取得した情報が住戸Ｅ２に対する監視における監視結果を表す警報情報である場合には、当該警報情報に基づいた報知を行う。
【００４６】
また、報知部１８は、子機第２通信部１２がＩＣカードＣ１から取得した情報に基づいた報知を行う。例えば、報知部１８は、親機２０から取得した情報が住戸Ｅ２に対するセキュリティ機能の設定に関するセキュリティ情報である場合には、当該セキュリティ情報に基づいた報知を行う。
【００４７】
報知部１８は、図１、図３Ａに示すように、スピーカ１１１と、表示部１１２とを有している。
【００４８】
スピーカ１１１は、警報情報が表す内容に応じた音を出力する。スピーカ１１１は、セキュリティ情報が表す内容に応じた音を出力する。例えば、セキュリティ情報が住戸Ｅ２の各センサ９０の監視開始の設定、及び電気錠８０の施錠の設定が正常に完了したことを表す場合には、スピーカ１１１は、セキュリティの設定が正常に完了したことを表す設定完了音を出力する。セキュリティ情報が住戸Ｅ２の各センサ９０の監視開始の設定、又は電気錠８０の施錠の設定に失敗したことを表す場合には、スピーカ１１１は、セキュリティの設定が失敗したことを表す設定未完了音を出力する。さらに、セキュリティ情報が住戸Ｅ２の各センサ９０の監視終了の設定、及び電気錠８０の解錠が正常に完了したことを表す場合には、スピーカ１１１は、セキュリティの解除が正常に完了したことを表す設定解除音を出力する。セキュリティ情報が住戸Ｅ２の各センサ９０の監視終了の設定、又は電気錠８０の解錠が失敗したことを表す場合には、スピーカ１１１は、セキュリティの解除が失敗したことを表す解除失敗音を出力する。
【００４９】
表示部１１２は、発光部、例えば白色等のＬＥＤを有している。表示部１１２は、警報情報が表す内容に応じた点灯パターンでＬＥＤを点灯させる。例えば、警報情報が人の進入を人検知センサ９１が検知したことを表す場合には、表示部１１２は、デューティ比を０．５として３Ｈｚの周期でＬＥＤが点滅を繰り返すようにＬＥＤの点灯を制御する。
【００５０】
表示部１１２は、セキュリティ情報が表す内容に応じた点灯パターンでＬＥＤを点灯させる。例えば、セキュリティ情報が住戸Ｅ２の各センサ９０の監視開始の設定、及び電気錠８０の施錠の設定が正常に完了したことを表す場合には、表示部１１２は、セキュリティの設定が正常に完了したことを示すように、ＬＥＤの点灯を制御する。例えば、表示部１１２は、デューティ比を０．５として３Ｈｚの周期でＬＥＤが点滅を繰り返すように、ＬＥＤの点灯を制御する。
【００５１】
さらに、スピーカ１１１は、玄関子機１０が親機２０と通話可能な状態である場合には、親機２０から送信された音声データに基づいた音声を出力する。
【００５２】
制御部１９は、図１に示すように、呼出処理部１０１、第１取得部１０２、第２取得部１０３及び報知制御部１０４を含む。
【００５３】
呼出処理部１０１は、呼出操作が行われた際の処理を行う。具体的には、呼出処理部１０１は、操作部１５に対して押操作が行われると、撮像部１６による撮像の開始を行う。呼出処理部１０１は、制御信号（呼出信号）及び撮像部１６が撮像した画像のデータを、子機第１通信部１１及び制御装置７０を介して親機２０に送信する。
【００５４】
玄関子機１０と親機２０との間で通話可能な状態となっている場合には、呼出処理部１０１は、マイクロホン１７で取得した音声データ、及び撮像部１６が撮像した画像のデータを、子機第１通信部１１及び制御装置７０を介して親機２０に送信する。さらに、呼出処理部１０１は、親機２０から送信された音声データを子機第１通信部１１及び制御装置７０を介して取得すると、取得した音声データをスピーカ１１１に出力する。このとき、スピーカ１１１は、取得した音声データに基づいた音声を出力する。
【００５５】
第１取得部１０２は、親機２０から送信された情報を取得する。具体的には、第１取得部１０２は、親機２０から送信された情報（例えば、警報情報、セキュリティ情報）を、制御装置７０及び子機第１通信部１１を介して取得する。
【００５６】
第２取得部１０３は、ＩＣカードＣ１から送信された情報を取得する。具体的には、第２取得部１０３は、ＩＣカードＣ１から送信されたＩＣカードＣ１の識別子を、子機第２通信部１２を介して取得する。
【００５７】
第２取得部１０３は、通信により取得したＩＣカードＣ１の識別子と、記憶部１４が記憶しているＩＣカードＣ１の識別子とを用いた認証を行う。認証が成功すると、第２取得部１０３は、セキュリティの設定に係る処理を行うための設定指示を、電気錠８０及び親機２０に送信部１３及び中継器４０を介して送信する。
【００５８】
報知制御部１０４は、第１取得部１０２が取得した情報を基に、報知部１８の制御を行う。例えば、第１取得部１０２が取得した警報情報が人の進入を検知したことを表す場合、又は住戸Ｅ２内の異常を検知した場合、報知制御部１０４は、スピーカ１１１が警報情報が表す内容に応じた警報音を出力するようにスピーカ１１１を制御する。さらに、報知制御部１０４は、第１取得部１０２が取得した警報情報が人の進入を検知したことを表す場合、又は住戸Ｅ２内の異常を検知した場合、記憶部１４が記憶しているＬＥＤの点灯に係る設定内容に基づいて、表示部１１２を制御する。例えば、報知制御部１０４は、デューティ比を０．５として３Ｈｚの周期でＬＥＤが点滅を繰り返すように表示部１１２を制御する。
【００５９】
また、第１取得部１０２がセキュリティ情報を取得した場合、報知制御部１０４は、スピーカ１１１がセキュリティ情報が表す内容に応じた音を出力するようにスピーカ１１１を制御する。さらに、第１取得部１０２がセキュリティ情報を取得した場合、報知制御部１０４は、セキュリティ情報が表す内容に応じた点灯パターンでＬＥＤが点灯するように表示部１１２を制御する。
【００６０】
例えば、報知制御部１０４は、セキュリティ情報が住戸Ｅ２の各センサ９０の監視開始の設定、及び電気錠８０の施錠の設定が正常に完了したことを表す場合には、記憶部１４が記憶している設定完了音のデータを取得する。報知制御部１０４は、取得した設定完了音のデータをスピーカ１１１に出力する。さらに、報知制御部１０４は、記憶部１４が記憶しているＬＥＤの点灯に係る設定内容に基づいて、デューティ比を０．５として３Ｈｚの周期でＬＥＤが点滅を繰り返すように表示部１１２を制御する。
【００６１】
報知制御部１０４は、セキュリティ情報が住戸Ｅ２の各センサ９０の監視開始の設定、又は電気錠８０の施錠の設定に失敗したことを表す場合には、記憶部１４が記憶している設定未完了音のデータを取得する。報知制御部１０４は、取得した設定未完了音のデータをスピーカ１１１に出力する。
【００６２】
報知制御部１０４は、セキュリティ情報が住戸Ｅ２の各センサ９０の監視終了の設定、及び電気錠８０の解錠が正常に完了したことを表す場合には、記憶部１４が記憶している設定解除音のデータを取得し、取得した設定解除音のデータをスピーカ１１１に出力する。
【００６３】
報知制御部１０４は、セキュリティ情報が住戸Ｅ２の各センサ９０の監視終了の設定、又は電気錠８０の解錠に失敗したことを表す場合には、記憶部１４が記憶している解除失敗音のデータを取得し、取得した解除失敗音のデータをスピーカ１１１に出力する。
【００６４】
（２−２）インターホン親機（親機）
ここでは、インターホン親機（親機）２０の構成について説明する。
【００６５】
親機２０は、図４に示すように、親機第１通信部２１、親機第２通信部２２、記憶部２３、操作部２４、通話部２５、表示部２６及び制御部２７を備える。
【００６６】
親機２０は、例えばプロセッサ及びメモリを有するコンピュータシステムを有している。そして、プロセッサがメモリに格納されているプログラムを実行することにより、コンピュータシステムが制御部２７として機能する。プロセッサが実行するプログラムは、ここではコンピュータシステムのメモリに予め記録されているが、メモリカード等の非一時的記録媒体に記録されて提供されてもよいし、インターネット等の電気通信回線を通じて提供されてもよい。
【００６７】
親機第１通信部２１は、制御装置７０を介して、玄関子機１０、ロビーインターホン３０、管理室装置６０と通信するための通信インタフェースである。親機第１通信部２１は、第２集線装置５１と有線接続するためのケーブルが挿入されるポートを有している。当該ケーブルの一端が当該ポートに、他端が第２集線装置５１に、それぞれ接続されることで、親機２０は第２集線装置５１を介した通信が可能になる。
【００６８】
親機第２通信部２２は、各センサ９０との通信、中継器４０を介した玄関子機１０との通信、及び住戸Ｅ２内の他の端末との通信を行うための通信インタフェースである。親機第２通信部２２は、複数のポートを有している。複数のポートは、各センサ９０、中継器４０及び他の端末に、それぞれ対応付けられている。複数のポートと、各センサ９０、中継器４０及び他の端末とは、ケーブルにより有線接続されることで、通信が可能になる。ここで、他の端末は、例えば、異常発生時に押操作される端末（警報ボタン付端末）、玄関子機１０とは異なる玄関端末（ドアベル）等である。
【００６９】
記憶部２３は、ＲＯＭ、ＲＡＭ、又はＥＥＰＲＯＭ等から選択されるデバイスで構成される。記憶部２３は、自機に割り当てられた識別子（ここでは、ＩＰアドレス）を記憶している。さらに、通信相手としての装置の識別子、例えば、玄関子機１０、ロビーインターホン３０、管理室装置６０、及び制御装置７０のそれぞれの識別子（ここでは、ＩＰアドレス）を記憶している。
【００７０】
操作部２４は、住戸Ｅ２内の在宅者の操作を受け付ける。操作部２４は、呼出ボタン２１１、警報ボタン２１２、通話ボタン２１３、モニタボタン２１４及び再生ボタン２１５を含んでいる（図５参照）。
【００７１】
呼出ボタン２１１は、集合住宅５内の端末、例えば管理室装置６０を呼び出す際に操作される。例えば、在宅者が呼出ボタン２１１に対して押操作を行うと、親機２０は、管理室装置６０を呼び出すための制御信号を、制御装置７０を介して管理室装置６０に送信する。
【００７２】
警報ボタン２１２は、住戸Ｅ２内で異常が発生している場合に操作される。住戸Ｅ２内で異常が発生している場合に、在宅者が警報ボタン２１２に対して押操作を行うと、親機２０は、住戸Ｅ２内で異常が発生していることを表す警報情報を、親機第１通信部２１及び制御装置７０を介して玄関子機１０に送信する。親機２０は、さらに、管理室装置６０を呼び出すための制御信号を、制御装置７０を介して管理室装置６０に送信する。
【００７３】
通話ボタン２１３は、玄関子機１０及びロビーインターホン３０との間の通話を開始する際に操作される。在宅者を呼び出すための制御信号（呼出信号）を玄関子機１０又はロビーインターホン３０から受信している状態で、通話ボタン２１３に対して押操作が行われると、親機２０と玄関子機１０又はロビーインターホン３０との間で通話可能な状態となる。
【００７４】
モニタボタン２１４は、玄関子機１０の撮像部１６又はロビーインターホンの撮像部で撮像された画像を表示する際に操作される。親機２０は、呼出信号を受信している場合及び通話可能な状態である場合において、モニタボタン２１４に対して押操作が行われると、呼出元の端末の撮像部（例えば、玄関子機１０の撮像部１６）が撮像した画像を、表示部２６に表示する。
【００７５】
再生ボタン２１５は、住戸Ｅ２の住居者の留守中に録音された来訪者の音声及び録画された画像を再生する際に操作される。親機２０は、再生ボタン２１５に対して押操作が行われると、住戸Ｅ２の住居者の留守中に録音された来訪者の音声及び録画された画像を再生する。具体的には、親機２０は、録音された音声を後述する通話部２５のスピーカから出力し、録画された画像を表示部２６に表示する。
【００７６】
通話部２５は、スピーカ及びマイクロホンを含み、玄関子機１０、ロビーインターホン３０及び管理室装置６０との間で通話可能に構成されている。
【００７７】
通話部２５のスピーカは、各センサ９０の検知結果に基づいて警報音を出力する。さらに、親機２０がドアベルと接続されている場合において、通話部２５のスピーカは、ドアベルからの呼出があると、呼出音を出力する。
【００７８】
表示部２６は、ロビーインターホン３０及び玄関子機１０から送信される画像を表示する。表示部２６は、各センサ９０の検知結果に応じた警報を表示する。さらに、親機２０がドアベルと接続されている場合において、表示部２６は、ドアベルからの呼出があると、呼出があることを表す情報（メッセージ）を表示する。
【００７９】
制御部２７は、図４に示すように、呼出処理部２０１、設定処理部２０２及び報知処理部２０３を有している。本実施形態では、制御部２７は、セキュリティモードとして設定モード及び解除モードのいずれかを記憶している。設定モードは、各センサ９０が監視状態である場合のモードである。解除モードは、各センサ９０が非監視状態である場合のモードである。
【００８０】
呼出処理部２０１は、呼出操作が行われた際の処理を行う。具体的には、呼出処理部２０１は、通話ボタン２１３に対して押操作が行われると、呼出元の端末（例えば玄関子機１０）と通話を開始する。呼出処理部２０１は、通話部２５のマイクロホンで取得した音声データを、親機第１通信部２１及び制御装置７０を介して玄関子機１０に送信する。さらに、呼出処理部１０１は、玄関子機１０から送信された音声データを親機第１通信部２１及び制御装置７０を介して取得すると、取得した音声データを通話部２５のスピーカに出力する。このとき、通話部２５のスピーカは、取得した音声データに基づいた音声を出力する。
【００８１】
設定処理部２０２は、住戸Ｅ２に対するセキュリティの設定に関する処理を行う。設定処理部２０２は、玄関子機１０が送信した設定指示を、中継器４０及び親機第２通信部２２を介して受け取る。
【００８２】
設定処理部２０２は、セキュリティモードが解除モードである場合には、各センサ９０に対して監視を開始する指示として開始指示を、親機第２通信部２２を介して送信する。
【００８３】
設定処理部２０２は、各センサ９０から監視開始を示す応答情報を受け取り、かつ電気錠８０から施錠状態となった旨の情報を受け取った場合には、セキュリティモードを設定モードに変更する。さらに、設定処理部２０２は、住戸Ｅ２に対するセキュリティに対して設定成功情報を報知処理部２０３に通知する。ここで、設定成功情報は、監視状態の設定が正常に完了したことを表す。
【００８４】
設定処理部２０２は、センサ９０のうち少なくとも１つのセンサ９０から監視開始が不可であることを示す応答情報、又は電気錠８０から施錠に失敗した旨の情報を受け取った場合には、住戸Ｅ２に対するセキュリティに対して設定失敗情報を報知処理部２０３に通知する。ここで、設定失敗情報は、監視状態の設定に失敗したことを表す。
【００８５】
設定処理部２０２は、セキュリティモードが設定モードである場合には、各センサ９０に対して監視を終了する指示として終了指示を、親機第２通信部２２を介して送信する。
【００８６】
設定処理部２０２は、各センサ９０から監視終了を示す応答情報を受け取り、かつ電気錠８０から解錠状態となった旨の情報を受け取った場合には、セキュリティモードを解除モードに変更する。さらに、設定処理部２０２は、住戸Ｅ２に対するセキュリティに対して解除成功情報を報知処理部２０３に通知する。ここで、解除成功情報は、監視の解除の設定が正常に完了したことを表す。
【００８７】
設定処理部２０２は、センサ９０のうち少なくとも１つのセンサ９０から監視終了が不可であることを示す応答情報、又は電気錠８０から解錠に失敗した旨の情報を受け取った場合には、住戸Ｅ２に対するセキュリティに対して解除失敗情報を報知処理部２０３に通知する。ここで、解除失敗情報は、監視の解除に失敗したことを表す。
【００８８】
報知処理部２０３は、設定処理部２０２から受け取った情報に応じたセキュリティ情報を、親機第１通信部２１及び制御装置７０を介して玄関子機１０に送信する。例えば、報知処理部２０３は、設定成功情報を設定処理部２０２から受け取った場合には、住戸Ｅ２の各センサ９０の監視開始の設定、及び電気錠８０の施錠の設定が正常に完了したことを表すセキュリティ情報を、玄関子機１０に送信する。報知処理部２０３は、設定失敗情報を設定処理部２０２から受け取った場合には、住戸Ｅ２の各センサ９０の監視開始の設定、又は電気錠８０の施錠の設定に失敗したことを表すセキュリティ情報を、玄関子機１０に送信する。報知処理部２０３は、解除成功情報を設定処理部２０２から受け取った場合には、住戸Ｅ２の各センサ９０の監視終了の設定、及び電気錠８０の解錠が正常に完了したことを表すセキュリティ情報を、玄関子機１０に送信する。
【００８９】
報知処理部２０３は、設定モード時において、センサ９０から受け取った所定値の信号に応じた処理を行う。具体的には、報知処理部２０３は、所定値の信号を受け取った親機第２通信部２２のポートを判別し、判別したポートに応じた処理を行う。例えば、所定値の信号を受け取った親機第２通信部２２のポートが人検知センサ９１である場合には、人の進入を検知したことを表す警報情報を、親機第１通信部２１及び制御装置７０を介して玄関子機１０に送信する。さらに、報知処理部２０３は、通話部２５のスピーカに警報音を出力させ、かつ人の進入を検知した旨のメッセージを表示部２６に表示させる。また、所定値の信号を受け取った親機第２通信部２２のポートがガスセンサ９２である場合には、ガス漏れを検知したことを表す警報情報を、親機第１通信部２１及び制御装置７０を介して玄関子機１０に送信する。さらに、報知処理部２０３は、通話部２５のスピーカに警報音を出力させ、かつガス漏れを検知した旨のメッセージを表示部２６に表示させる。
【００９０】
報知処理部２０３は、警報ボタン付端末と接続された親機第２通信部２２のポートを介して所定値の信号を受け取ると、住戸Ｅ２内において異常が発生している旨の警報情報を、親機第１通信部２１及び制御装置７０を介して管理室装置６０に送信する。この場合、管理室装置６０は、警報音を出力するとともに、住戸Ｅ２内において異常が発生している旨のメッセージを表示する。
【００９１】
報知処理部２０３は、ドアベルと接続された親機第２通信部２２のポートを介して所定値の信号を受け取ると、ドアベルから呼出がある旨の通知音を、通話部２５のスピーカに出力させるとともに、ドアベルから呼出がある旨のメッセージを表示部２６に表示させる。
【００９２】
報知処理部２０３は、警報ボタン２１２に対して押操作が行われると、住戸Ｅ２内において異常が発生している旨の警報情報を、親機第１通信部２１及び制御装置７０を介して玄関子機１０に送信する。さらに、報知処理部２０３は、管理室装置６０を呼び出すための制御信号を、親機第１通信部２１及び制御装置７０を介して管理室装置６０に送信する。
【００９３】
なお、親機２０が、接点信号を受け付ける構成である場合には、親機第２通信部２２が有するセンサ９０と接続されるポートは、センサ９０の出力端子間の接点のオン又はオフに応じた接点信号が入力される。
【００９４】
この場合、設定処理部２０２は、セキュリティモードが解除モードであるときは入力される接点信号を無効とし、設定モードである場合には接点信号を有効とする。設定処理部２０２は、設定指示を玄関子機１０から受け取ると、セキュリティモードを解除モードから設定モードに切り替える。設定処理部２０２は、セキュリティモードを解除モードから設定モードに切り替えた直後に入力された接点信号が監視対象の存在を検知したことに相当する場合には、設定失敗情報を玄関子機１０に通知する。設定処理部２０２は、セキュリティモードを解除モードから設定モードに切り替えた直後に入力された接点信号が監視対象の存在を検知していないことに相当する場合には、設定成功情報を玄関子機１０に通知する。さらに、設定処理部２０２は、設定指示を受け取ったときのセキュリティモードが設定モードであるときは、入力される設定信号を無効とする。設定処理部２０２は、電気錠８０から解錠状態となった旨の情報を受け取った場合には、セキュリティモードを解除モードに変更するとともに、解除成功情報を玄関子機１０に通知する。設定処理部２０２は、電気錠８０から解錠に失敗した旨の情報を受け取った場合には、解除失敗情報を玄関子機１０に通知する。報知処理部２０３は、設定モード時に、接点信号が監視対象の存在を検知したことに相当する場合には、監視対象の存在を検知したこと（例えば、人の進入を検知したこと）を表す警報情報を玄関子機１０に送信する。
【００９５】
（２−３）管理室装置
管理室装置６０は、例えばプロセッサ及びメモリを有するコンピュータシステムを有している。そして、プロセッサがメモリに格納されているプログラムを実行することにより、コンピュータシステムが管理室装置６０の機能を実現する。プロセッサが実行するプログラムは、ここではコンピュータシステムのメモリに予め記録されているが、メモリカード等の非一時的記録媒体に記録されて提供されてもよいし、インターネット等の電気通信回線を通じて提供されてもよい。
【００９６】
管理室装置６０は、親機２０から警報情報を、制御装置７０を介して受け取ると、警報音を出力し、かつ住戸Ｅ２内において異常が発生している旨のメッセージを表示する。
【００９７】
管理室装置６０は、管理室装置６０を呼び出すための制御信号を、制御装置７０を介して受け取ると、呼出音を出力し、かつ呼出元に係る情報（例えば住戸Ｅ２の部屋番号）を表示する。
【００９８】
（２−４）電気錠
電気錠８０は、例えば、玄関扉の施錠及び解錠を行う。
【００９９】
電気錠８０は、玄関扉が解錠状態である場合に、中継器４０を介して玄関子機１０から設定指示を受け取ると、玄関扉の施錠を行う。電気錠８０は、施錠結果を中継器４０を介して親機２０に送信する。ここで、送信される施錠結果は、施錠状態となった旨の情報及び施錠に失敗した旨の情報のいずれかである。
【０１００】
電気錠８０は、玄関扉が施錠状態である場合に、中継器４０を介して玄関子機１０から設定指示を受け取ると、玄関扉の解錠を行う。電気錠８０は、解錠結果を中継器４０を介して親機２０に送信する。ここで、送信される解錠結果は、解錠状態となった旨の情報及び解錠に失敗した旨の情報のいずれかである。
【０１０１】
（２−５）センサ
センサ９０は、監視対象についての検知を行う。例えば、センサ９０が人検知センサ９１である場合には、監視対象を人とし、人の進入検知を行う。センサ９０がガスセンサ９２である場合には、監視対象をガスとし、ガス漏れの検知を行う。
【０１０２】
センサ９０は、監視を開始する指示である開始指示を、親機２０から受け取ると、監視開始の設定を行い、非監視状態から監視状態に状態を変更する。センサ９０は、監視開始の設定に係る処理が完了すると、監視開始を示す応答情報を親機２０に送信する。センサ９０は、監視開始の設定に係る処理が完了しない場合には、監視開始が不可であることを示す応答情報を親機２０に送信する。
【０１０３】
センサ９０は、監視を終了する指示である終了指示を、親機２０から受け取ると、監視終了の設定を行い、監視状態から非監視状態に状態を変更する。センサ９０は、監視終了の設定に係る処理が完了すると、監視終了を示す応答情報を親機２０に送信する。センサ９０は、監視終了の設定に係る処理が完了しない場合には、監視終了が不可であることを示す応答情報を親機２０に送信する。
【０１０４】
センサ９０は、監視状態において、監視対象の存在を検知すると、所定値の信号を親機２０に送信する。センサ９０は、監視状態において、監視対象の存在を検知しない場合には、所定値の信号とは異なる信号、例えば所定値よりの小さい値の信号を親機２０に送信する。
【０１０５】
なお、センサ９０は、出力端子間の接点のオン又はオフを切り替えることで、親機２０に接点信号が入力される構成であってもよい。
【０１０６】
（３）動作
ここでは、インターホンシステム１の動作、特にセキュリティ設定の動作及び監視状態時の動作について、説明する。
【０１０７】
（３−１）セキュリティ設定の動作
まず、セキュリティ設定の動作について、図６を用いて説明する。ここでは、センサ９０が監視状態となる場合の動作について説明する。
【０１０８】
玄関子機１０の第２取得部１０３は、近距離無線により、ＩＣカードＣ１から送信された情報を子機第２通信部１２を介して取得する（ステップＳ１）。
【０１０９】
第２取得部１０３は、近距離無線通信により取得したＩＣカードＣ１の識別子と、記憶部１４が記憶しているＩＣカードＣ１の識別子とを用いた認証を行う（ステップＳ２）。具体的には、第２取得部１０３は、近距離無線通信により取得したＩＣカードＣ１の識別子と、記憶部１４が記憶しているＩＣカードＣ１の識別子とが一致するか否かを判断する。一致する場合には、第２取得部１０３は、認証が成功したと判断する。一致しない場合には、第２取得部１０３は、認証が失敗したと判断する。
【０１１０】
認証が成功すると、第２取得部１０３は、セキュリティの設定に係る処理を行うための設定指示を、電気錠８０及び親機２０に送信する（ステップＳ３〜Ｓ５）。
【０１１１】
電気錠８０は、設定指示を玄関子機１０から中継器４０を介して受け取ると、玄関扉の施錠を行う（ステップＳ６）。電気錠８０は、施錠結果を親機２０に送信する（ステップＳ７）。
【０１１２】
親機２０は、設定指示を玄関子機１０から中継器４０を介して受け取ると、監視を開始する指示である開始指示を各センサ９０に親機第２通信部２２を介して送信する（ステップＳ８，Ｓ９）。
【０１１３】
各センサ９０は、開始指示を、親機２０から受け取ると、監視開始の設定に係る処理を行う（ステップＳ１０）。非監視状態から監視状態に状態を変更する。センサ９０は、監視開始の設定に係る処理の結果を表す応答情報を親機２０に送信する（ステップＳ１１）。例えば、各センサ９０は、監視開始の設定が完了した場合には、非監視状態から監視状態に状態を変更し、監視開始を示す応答情報を親機２０に送信する。
【０１１４】
親機２０の報知処理部２０３は、電気錠８０からの施錠結果及び各センサ９０からの応答情報に応じたセキュリティ情報を、玄関子機１０に親機第１通信部２１及び制御装置７０を介して送信する（ステップＳ１２，Ｓ１３）。例えば、設定処理部２０２は、各センサ９０から監視開始を示す応答情報を受け取り、かつ電気錠８０から施錠状態となった旨の情報を受け取った場合には、設定成功情報を報知処理部２０３に通知する。報知処理部２０３は、設定成功情報を設定処理部２０２から受け取ると、住戸Ｅ２の各センサ９０の監視開始の設定、及び電気錠８０の施錠の設定が正常に完了したことを表すセキュリティ情報を、玄関子機１０に送信する。
【０１１５】
玄関子機１０の報知制御部１０４は、親機２０から取得したセキュリティ情報に応じた報知処理を行う（ステップＳ１４）。例えば、報知制御部１０４は、セキュリティ情報が住戸Ｅ２の各センサ９０の監視開始の設定、及び電気錠８０の施錠の設定が正常に完了したことを表す場合には、記憶部１４が記憶している設定完了音のデータを取得する。報知制御部１０４は、取得した設定完了音のデータをスピーカ１１１に出力する。さらに、報知制御部１０４は、記憶部１４が記憶しているＬＥＤの点灯に係る設定内容に基づいて、デューティ比を０．５として３Ｈｚの周期でＬＥＤが点滅を繰り返すように表示部１１２を制御する。
【０１１６】
なお、ステップＳ６及びＳ７の動作は、必須ではない。ステップＳ６及びＳ７の動作は、省略してもよい。
【０１１７】
また、上記動作では、親機２０が各センサ９０に開始指示を送信する構成としたが、この構成に限定されない。親機２０が、接点信号を受け付ける構成である場合には、親機２０が設定指示を受け付けるまでは、親機２０に入力される接点信号を無視し、親機２０が設定指示を受け付けると、親機２０に入力される接点信号を有効とする。この場合、図６に示すステップＳ８〜Ｓ１１は行われない。親機２０の設定処理部２０２は、ステップＳ８〜Ｓ１０を行う代わりに、親機２０に入力される接点信号を有効とする処理を行う。設定処理部２０２は、当該処理を行った直後に入力された接点信号が監視対象の存在を検知したことに相当する場合には、ステップＳ１２及びＳ１３において、設定失敗情報を玄関子機１０に通知する。設定処理部２０２は、当該処理を行った直後に入力された接点信号が監視対象の存在を検知していないことに相当する場合には、ステップＳ１２及びＳ１３において、設定成功情報を玄関子機１０に通知する。
【０１１８】
（３−２）監視状態時の動作
次に、監視状態時の動作について、図７を用いて説明する。ここでは、センサ９０としての人検知センサ９１が人の進入を検知した場合の動作について説明する。
【０１１９】
センサ９０としての人検知センサ９１は、人の進入を検知すると、人の進入を検知したことを表す検知結果を親機２０に送信する（ステップＳ１０１、Ｓ１０２）。具体的には、人検知センサ９１は、人の進入を検知すると、所定値の信号を検知結果として親機２０に送信する。
【０１２０】
親機２０の報知処理部２０３は、親機第２通信部２２の複数のポートのうち人検知センサ９１と接続されたポートから所定値の信号を受け取ると、第１報知処理を行う（ステップＳ１０３）。具体的には、報知処理部２０３は、通話部２５のスピーカに警報音を出力させ、かつ人の進入を検知した旨のメッセージを表示部２６に表示させる。
【０１２１】
報知処理部２０３は、人の進入を検知したことを表す警報情報を、親機第１通信部２１及び制御装置７０を介して玄関子機１０に送信する（ステップＳ１０４、Ｓ１０５）。
【０１２２】
玄関子機１０の報知制御部１０４は、警報情報を親機２０から制御装置７０及び子機第１通信部１１を介して受け取ると、第２報知処理を行う（ステップＳ１０６）。例えば、報知制御部１０４は、人の進入を検知したことを表す警報情報を第１取得部１０２が取得すると、スピーカ１１１が警報情報に応じた警報音を出力するようにスピーカ１１１を制御する。さらに、報知制御部１０４は、記憶部１４が記憶しているＬＥＤの点灯に係る設定内容に基づいて、デューティ比を０．５として３Ｈｚの周期でＬＥＤが点滅を繰り返すように表示部１１２を制御する。
【０１２３】
なお、親機２０が、接点信号を受け付ける構成である場合には、人検知センサ９１は、接点のオン又はオフに応じた接点信号を検知結果として出力する。接点信号が監視対象の存在を検知したことに相当する場合には、親機２０はステップＳ１０３〜Ｓ１０５を実行し、玄関子機１０はステップＳ１０６を実行する。
【０１２４】
（４）利点
本実施形態では、各センサ９０の検知結果、又は電気錠８０の状態を基に、インターホン玄関装置１０が報知を行う。そのため、住戸Ｅ２の住居者、又は近隣の人は、住戸Ｅ２内にいなくても住戸Ｅ２内の状態、例えばガス漏れが発生していること等を知ることができる。
【０１２５】
また、本実施形態では、インターホン玄関装置１０は、ＩＣカードＣ１に対する認証が成功すると、各センサ９０及び電気錠８０に対してセキュリティの設定の指示を行う。その後、インターホン玄関装置１０は、設定の結果を報知する。これにより、住戸Ｅ２の住居者は、住戸Ｅ２内の状態として、セキュリティの設定が正常に行われたか否かを知ることができる。
【０１２６】
（５）変形例
上記実施形態は、本開示の様々な実施形態の一つに過ぎない。上記実施形態は、本開示の目的を達成できれば、設計等に応じて種々の変更が可能である。以下に、変形例について列記する。なお、以下に説明する変形例は、上記実施形態と適宜組み合わせて適用可能である。
【０１２７】
（５−１）変形例１
上記実施形態において、制御装置７０は、インターホンシステム１における必須の構成要素ではない。
【０１２８】
インターホンシステム１が制御装置７０を備えない場合には、上述した振分機能を、ロビーインターホン３０が有してもよいし、管理室装置６０が有してもよい。また、他の装置が振分機能を有する構成であってもよい。
【０１２９】
または、情報を送信する各装置は、第１集線装置５０、第２集線装置５１及び第３集線装置５２のうち少なくとも１つの集線装置を介して、直接送信先の装置へと送信してもよい。
【０１３０】
（５−２）変形例２
上記実施形態において、玄関子機１０は、セキュリティの設定に係る処理を行うための設定指示を、電気錠８０及び親機２０に送信部１３及び中継器４０を介して送信する構成としたが、この構成に限定されない。
【０１３１】
玄関子機１０は、親機２０に設定指示を送信する際には、子機第１通信部１１を介して送信してもよい。
【０１３２】
（５−３）変形例３
上記実施形態では、玄関子機１０は、ＩＣカードＣ１と近距離無線通信を行うことを契機として、セキュリティの設定に係る処理を行うための設定指示を電気錠８０及び親機２０に送信する構成としたが、この構成に限定されない。
【０１３３】
玄関子機１０は、ＩＣカードＣ１の代わりにスマートフォン、携帯電話機等の端末と近距離無線通信を行うことを契機として、セキュリティの設定に係る処理を行うための設定指示を電気錠８０及び親機２０に送信してもよい。要は、玄関子機１０は、ＩＣカードＣ１、スマートフォン及び携帯電話機等の携帯型の端末と近距離無線通信を行うことを契機として、セキュリティの設定に係る処理を行うための設定指示を電気錠８０及び親機２０に送信してもよい。
【０１３４】
または、別の変形例として、玄関子機１０は、操作部１５に対して所定の操作が行われたことを契機として、セキュリティの設定に係る処理を行うための設定指示を電気錠８０及び親機２０に送信してもよい。例えば、玄関子機１０は、操作部１５に対して長押し操作がされた場合に、セキュリティの設定に係る処理を行うための設定指示を電気錠８０及び親機２０に送信してもよい。
【０１３５】
（５−４）変形例４
上記実施形態では、玄関子機１０がセキュリティの設定に係る処理を行うための設定指示を送信する構成としたが、この構成に限定されない。
【０１３６】
親機２０に対して所定の操作が行われると、親機２０が各センサ９０にセキュリティの設定に係る処理を行うための設定指示を送信してもよい。この場合、親機２０は、セキュリティ情報を玄関子機１０に送信してもよい。
【０１３７】
親機２０が設定指示を送信する場合、親機２０に対して所定の操作が行われるため住戸Ｅ２内には人が存在している。そのため、親機２０がセキュリティモードを解除モードから即座に設定モードに変更した場合には、例えば人検知センサ９１が人を検知し警報音が出力される。
【０１３８】
そこで、親機２０が設定指示を送信する場合には、各センサ９０が監視状態となってから、即座にセキュリティモードを解除モードから設定モードに変更するのではなく、セキュリティモードを解除モードから設定モードに変更するまでに所定の期間（例えば、１分間）を設ける。これにより、例えば、住戸Ｅ２内の人が住戸Ｅ２外に出るまでは、警報音は出力されない。
【０１３９】
所定の期間中に玄関子機１０とＩＣカードＣ１との間で近距離無線通信が行われると、所定の期間の経過を待つことなく、親機２０は、セキュリティモードを解除モードから即座に設定モードに変更する。
【０１４０】
（５−５）変形例５
上記実施形態では、親機２０は、警報ボタン付端末から所定値の信号を受け取ると、警報情報を管理室装置６０に送信する構成としたが、この構成に限定されない。
【０１４１】
親機２０は、警報ボタン付端末から所定値の信号を受け取ると、警報情報を管理室装置６０に送信することに加えて、玄関子機１０に表示部１１２のＬＥＤの点滅を行うように点滅指示を玄関子機１０に送信してもよい。
【０１４２】
（５−６）その他の変形例
上記実施形態において、玄関子機１０のスピーカ１１１が出力する警報音の設定及び表示部１１２のＬＥＤを点滅させる設定は、親機２０で設定する構成であってもよい。
【０１４３】
上記実施形態では、玄関子機１０は、親機２０との通信により報知に係る処理を行う構成としたが、この構成に限定されない。玄関子機１０は、ロビーインターホン３０、管理室装置６０、及びその他の端末との通信により報知に係る処理を行ってもよい。
【０１４４】
上記実施形態において、親機２０は、各センサ９０、電気錠８０及び他の端末（例えば、警報ボタン付端末、ドアベル）と有線による通信を行う構成としたが、これに限定されない。親機２０は、各センサ９０、電気錠８０及び他の端末（例えば、警報ボタン付端末、ドアベル）と無線による通信を行ってもよい。
【０１４５】
上記実施形態では、インターホンシステム１は集合住宅に適用する構成としたが、これに限定されない。インターホンシステム１は、戸建住宅であってもよいし、店舗、事務所等であってもよい。例えば、インターホンシステム１を戸建住宅に適用する場合には、ロビーインターホン３０は必須の構成要素ではない。
【０１４６】
上述したインターホン玄関装置（玄関子機）１０と同様の機能は、報知方法、コンピュータプログラム、又はプログラムを記録した非一時的な記録媒体等で具現化されてもよい。一態様に係るインターホン玄関装置１０の報知方法は、施設（住戸Ｅ２）に設けられ、かつＩＰネットワークを介して情報端末（例えば、親機２０）と通信可能であるインターホン玄関装置１０で用いられる。報知方法は、報知ステップを含む。報知ステップは、情報端末を含む１つ以上の端末のいずれかから取得した情報又は自機に対して入力された情報であって、情報端末を呼び出す情報とは異なる情報に基づいて、施設内の状態に関する報知を行う。一態様に係るプログラムは、報知方法をコンピュータに、実行させるためのプログラムである。
【０１４７】
本開示におけるインターホン玄関装置１０は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示におけるインターホン玄関装置１０としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【０１４８】
また、インターホン玄関装置１０における複数の機能が、１つの筐体内に集約されていることはインターホン玄関装置１０に必須の構成ではなく、インターホン玄関装置１０の構成要素は、複数の筐体に分散して設けられていてもよい。さらに、インターホン玄関装置１０の少なくとも一部の機能がクラウド（クラウドコンピューティング）等によって実現されてもよい。
【０１４９】
（まとめ）
以上説明したように、第１の態様のインターホン玄関装置（１０）は、施設（例えば、住戸Ｅ２）に設けられ、かつＩＰネットワークを介して情報端末（例えば、インターホン親機２０）と通信可能である。インターホン玄関装置（１０）は、報知部（１８）を備える。報知部（１８）は、情報端末を含む１つ以上の端末のいずれかから取得した情報又は自機に対して入力された情報であって、情報端末を呼び出す情報とは異なる情報に基づいて、施設内の状態に関する報知を行う。
【０１５０】
この構成によると、施設内にいなくても施設内の状態を知ることができる。
【０１５１】
第２の態様のインターホン玄関装置（１０）では、第１の態様において、ＩＰネットワークの中継器としての集線装置（第１集線装置５０、第２集線装置５１、第３集線装置５２）を介して情報端末と接続される。
【０１５２】
この構成によると、インターホン玄関装置（１０）は、情報端末と集線装置を介して通信が可能となる。
【０１５３】
第３の態様のインターホン玄関装置（１０）では、第２の態様において、自機及び１つ以上の端末の各々に対して、互いに異なる識別子が割り当てられている。集線装置は、識別子を基にＩＰネットワークでの通信が可能となるように構成されている。１つ以上の端末のいずれかから取得した情報には、インターホン玄関装置（１０）の識別子が含まれている。
【０１５４】
この構成によると、インターホン玄関装置（１０）と情報端末とは、互いの識別子を利用して通信が可能となる。
【０１５５】
第４の態様のインターホン玄関装置（１０）では、第１〜第３のいずれかの態様において、情報端末から取得した情報が施設に対する監視における監視結果を表す警報情報である場合には、報知部（１８）は、警報情報に基づいて、報知を行う。
【０１５６】
この構成によると、施設の監視結果を基に、施設内の状態を知ることができる。
【０１５７】
第５の態様のインターホン玄関装置（１０）では、第１〜第４のいずれかの態様において、情報端末から取得した情報が施設に対するセキュリティ機能の設定に関するセキュリティ情報である場合には、報知部（１８）は、セキュリティ情報に基づいて、報知を行う。
【０１５８】
この構成によると、施設内のセキュリティの状態を知ることができる。
【０１５９】
第６の態様のインターホン玄関装置（１０）は、第１〜第５のいずれかの態様において、情報端末と通信する第１通信部（子機第１通信部１１）と、第１通信部とは異なる第２通信部（子機第２通信部１２）とを、更に備える。報知部（１８）は、第２通信部が１つ以上の端末に含まれ情報端末とは異なる携帯型端末から取得した情報に基づいて、報知を行う。
【０１６０】
この構成によると、携帯型端末を利用して施設内の状態を知ることができる。
【０１６１】
第７の態様のインターホン玄関装置（１０）は、第１〜第６の態様において、操作部（１５）を、更に備える。操作部（１５）に対する所定の操作により入力された情報に基づいて、報知を行う。
【０１６２】
この構成によると、インターホン玄関装置（１０）に対する操作により、施設内の状態を知ることができる。
【０１６３】
第８の態様のインターホンシステム（１）は、第１〜第７のいずれかの態様のインターホン玄関装置（１０）と、情報端末（例えば、インターホン親機２０）と、を備える。
【０１６４】
この構成によると、施設内にいなくても施設内の状態を知ることができる。
【０１６５】
第９の態様の情報端末（例えば、インターホン親機２０）は、施設（例えば、住戸Ｅ２）に設けられ、かつＩＰネットワークを介して第１〜７のいずれかの態様のインターホン玄関装置（１０）と通信可能である。情報端末は、インターホン玄関装置（１０）と通信する通信部（親機第１通信部２１）を備える。通信部は、インターホン玄関装置（１０）の報知部（１８）が報知を行うための情報を、インターホン玄関装置（１０）に送信するように構成されている。
【０１６６】
この構成によると、施設内の状態をインターホン玄関装置（１０）に通知することができる。そのため、インターホン玄関装置（１０）を利用して、施設内にいなくても施設内の状態を知ることができる。
【０１６７】
第１０の態様の報知方法は、施設（例えば、住戸Ｅ２）に設けられ、かつＩＰネットワークを介して情報端末（例えば、インターホン親機２０）と通信可能であるインターホン玄関装置（１０）で用いられる。報知方法は、報知ステップを含む。報知ステップは、情報端末を含む１つ以上の端末のいずれかから取得した情報又はインターホン玄関装置（１０）に対して入力された情報であって、情報端末を呼び出す情報とは異なる情報に基づいて、施設内の状態に関する報知を行う。
【０１６８】
この報知方法によると、施設内にいなくても施設内の状態を知ることができる。
【０１６９】
第１１の態様のプログラムは、第１０の態様の報知方法をコンピュータに、実行させるためのプログラムである。
【０１７０】
このプログラムによると、施設内にいなくても施設内の状態を知ることができる。
【符号の説明】
【０１７１】
１    インターホンシステム
２    住戸Ｅ（施設）
１０    インターホン玄関装置（玄関子機）
１１    子機第１通信部（第１通信部）
１２    子機第２通信部（第２通信部）
１５    操作部
１８    報知部
２０    インターホン親機（親機、情報端末）
２１    親機第１通信部(通信部)
２２    親機第２通信部
３０    ロビーインターホン（情報端末）
５０    第１集線装置（集線装置）
５１    第２集線装置（集線装置）
５２    第３集線装置（集線装置）
６０    管理室装置（情報端末）
【図１】
2020102775.tif 000003
【図２】
2020102775.tif 000004
【図３】
2020102775.tif 000005
【図４】
2020102775.tif 000006
【図５】
2020102775.tif 000007
【図６】
2020102775.tif 000008
【図７】
2020102775.tif 000009